(57)【要約】【課題】キーロック状態においてユーザがキーロック解除操作を行うことなく、通信装置の機能の一部を一時的に使用することが可能な通信装置を提供する。【解決手段】本発明の通信装置は、通信網に接続して通信を行う通信部と、操作入力の受け付けを行う操作部とを備えている。また、時間の計測を行う計時部と、オフフック／オンフックの状態検知を行うセンサ部とを備えている。また、操作部に対して操作入力の受け付けの許可／禁止を指示する操作制御部を備えている。また、操作制御部が操作入力の受け付けを禁止している状態でオフフックが検知された場合に、検知後の経過時間を計時部により計測する時間監視部を備えている。また、時間監視部による計測が開始され、且つ経過時間が所定時間を超える前に発呼操作が検知された場合に、操作制御部に対して操作入力の受け付けを許可するよう指示するキーロック制御部を備えている。【選択図】図２
2011061298.tif 000002
【特許請求の範囲】
【請求項１】
通信網に接続して通信を行う通信部と、
操作入力の受け付けを行う操作部と、
時間の計測を行う計時部と、
オフフック／オンフックの状態検知を行うセンサ部と、
操作入力の受け付けの許可／禁止を行う操作制御部とを備えた通信装置において、
前記操作制御部が操作入力の受け付けを禁止している状態において前記センサ部によりオフフックが検知された場合に、検知後の経過時間を前記計時部により計測する時間監視部と、
前記時間監視部による計測が開始され、且つ前記経過時間が予め定められた時間を超える前に前記操作部により発呼操作が検知された場合に、操作入力の受け付けを許可するよう前記操作制御部に指示するキーロック制御部とを備えることを特徴とする通信装置。
【請求項２】
前記キーロック制御部が、前記発呼操作が検知されることにより前記操作制御部に対して操作入力の受け付けを許可した後、前記センサ部によりオンフックが検知された場合に、前記操作制御部に対して操作入力の受け付けを禁止する、請求項１に記載の通信装置。
【請求項３】
前記キーロック制御部が、前記発呼操作が検知されることにより前記操作制御部に対して操作入力の受け付けを許可した場合に、許可後の経過時間、又は許可後において前記操作部による操作が検知されてからの経過時間を前記計時部により計測し、該経過時間が予め定められた時間を超えた場合に前記操作制御部に対して操作入力の受け付けを禁止する、  請求項１に記載の通信装置。
【請求項４】
前記キーロック制御部が、前記操作部に含まれる数字キー、発呼キー、電話帳呼び出しキー、及び選択キーのいずれかが押下された場合に、前記発呼操作が行われたと判定する、  請求項１に記載の通信装置。
【請求項５】
前記状態検知部が、前記通信装置の含む受話器に接触可能な位置に設けられた加圧センサ、前記通信装置に対して充電を行う充電装置の接続状態を判定する充電装置検知部、又は前記通信装置が備えるハンズフリー通話用装置を用いて、オフフック／オンフックの状態検知を行う、請求項１に記載の通信装置。
【発明の詳細な説明】
【技術分野】
【０００１】
本発明は、通信網に接続されて通信を行う通信装置に関するものであり、特にキーロック機能を備えた通信装置に関する。
【背景技術】
【０００２】
近年、通信インフラの発達により、通信装置に様々な機能が付加されるようになってきた。例えば電話装置においては、通話機能の他に、キーロック機能や、電子式カレンダーによるスケジュール管理機能を備えた電話装置が普及している。
【０００３】
しかしながら上記のような多機能化に伴い、誤操作や誤作動により弊害が発生する可能性も高まっている。このため、ユーザからの操作を受け付けないようにするためのキーロック機能を備えた通信装置が実用化されている。
【０００４】
キーロック機能が有効に設定されている場合、例えばユーザが掃除中に誤ってキーに接触したり、或いは操作方法を知らない子供が意図せずキーに接触したりしたとしても、その操作が無効化される。キーロック機能を解除する場合、所定の手順による解除操作を行うことにより、通常の状態に復帰する。
【０００５】
上記のキーロック機能に関連して特許文献１においては、確実性の高い不正使用防止機能を有する携帯無線電話機が開示されている。この携帯無線電話機は、従来の数字四桁の暗証番号の代わりに暗証画像を用いている。また、画像を読み取るレンズ部に指や眼をかざす操作により、暗証画像の入力を受け付け、キーロックを解除する。これにより、キーロック解除時の使い勝手の向上を図っている。
【０００６】
また特許文献２においては、キーロック中のキーが押下された場合に、キーロックされている旨を表示部に表示し、続けて同じキーが押下された場合に、キーロックの解除手順を表示部に表示する電子機器が開示されている。これによりユーザは、直感的に解除手順を理解することができる。
【先行技術文献】
【特許文献】
【０００７】
【特許文献１】特開２０００−３０７７１７号公報
【特許文献２】特開２００７−１３５３０号公報
【発明の概要】
【発明が解決しようとする課題】
【０００８】
しかしながら特許文献１の携帯無線電話機は、キーロック解除のための画像読み取り用レンズや画像解析機能を新たに追加する必要があり、省サイズ化及びコストの面で不利であった。
【０００９】
また特許文献２の電子機器は、キーロックの解除方法を効果的にユーザに通知することはできるが、キーロックの解除自体は、従来と同様の処理方法で行っている。このためユーザは、キーロックを解除する都度、解除操作を行わなければならず、煩わしさを感じるという問題があった。
【００１０】
本発明は、上記の問題を解決するためになされたものであって、キーロック状態においてユーザがキーロック解除操作を行うことなく、通信装置の機能の一部を一時的に使用することが可能な通信装置を提供することにある。
【課題を解決するための手段】
【００１１】
上記目的を達成するために本発明の通信装置は、通信網に接続して通信を行う通信部と、操作入力の受け付けを行う操作部と、時間の計測を行う計時部と、オフフック／オンフックの状態検知を行うセンサ部と、操作入力の受け付けの許可／禁止を行う操作制御部とを備えた通信装置において、前記操作制御部が操作入力の受け付けを禁止している状態において前記センサ部によりオフフックが検知された場合に、検知後の経過時間を前記計時部により計測する時間監視部と、前記時間監視部による計測が開始され、且つ前記経過時間が予め定められた時間を超える前に前記操作部により発呼操作が検知された場合に、操作入力の受け付けを許可するよう前記操作制御部に指示するキーロック制御部とを備えることを特徴としている。
【００１２】
この構成によると、本発明の通信装置は、通信網に接続して通信を行う通信部と、操作入力の受け付けを行う操作部とを備えている。また、時間の計測を行う計時部と、オフフック／オンフックの状態検知を行うセンサ部とを備えている。また、操作部による操作入力の受け付けの許可／禁止を行う操作制御部を備えている。また、操作制御部が操作入力の受け付けを禁止している状態でオフフックが検知された場合に、検知後の経過時間を計時部により計測する時間監視部を備えている。また、時間監視部による計測が開始され、且つ経過時間が所定時間を超える前に発呼操作が検知された場合に、操作制御部に対して操作入力の受け付けを許可するよう指示するキーロック制御部を備えている。これによりユーザは、キーロック解除操作を行うことなく、発呼操作のみによってキーロックを解除して通話することができる。
【００１３】
また上記目的を達成するために本発明の通信装置は、前記キーロック制御部が、前記発呼操作が検知されることにより前記操作制御部に対して操作入力の受け付けを許可した後、前記センサ部によりオンフックが検知された場合に、前記操作制御部に対して操作入力の受け付けを禁止する。
【００１４】
この構成によると、キーロック制御部は、操作制御部に対して操作入力の受け付けを許可した後、センサ部により再びオンフックが検知された場合に、操作制御部に対して操作入力の受け付けを禁止する。これによりユーザは、一時的に解除されていたキーロックを、オンフック操作のみによって再び有効に設定することが可能である。
【００１５】
また上記目的を達成するために本発明の通信装置は、前記キーロック制御部が、前記発呼操作が検知されることにより前記操作制御部に対して操作入力の受け付けを許可した場合に、許可後の経過時間、又は許可後において前記操作部による操作が検知されてからの経過時間を前記計時部により計測し、該経過時間が予め定められた時間を超えた場合に前記操作制御部に対して操作入力の受け付けを禁止する。
【００１６】
この構成によると、キーロック制御部は、発呼操作が検知されて操作入力の受け付けを許可した場合に、許可後の経過時間を計時部により計測する。そして経過時間が所定時間を超えた場合に、操作制御部に対して操作入力の受け付けを禁止する。これにより、一時的に解除されていたキーロックを、ユーザ操作を必要とすることなく再び設定することが可能である。
【００１７】
また上記目的を達成するために本発明の通信装置は、前記キーロック制御部が、前記操作部に含まれる数字キー、発呼キー、電話帳呼び出しキー、及び選択キーのいずれかが押下された場合に、前記発呼操作が行われたと判定する。
【００１８】
この構成によると、キーロック制御部は、作部に含まれる数字キー、発呼キー、電話帳呼び出しキー、及び選択キーのいずれかが押下された場合に、発呼操作が行われたと判定する。
【００１９】
また上記目的を達成するために本発明の通信装置は、前記状態検知部が、前記通信装置の含む受話器に接触可能な位置に設けられた加圧センサ、前記通信装置に対して充電を行う充電装置の接続状態を判定する充電装置検知部、又は前記通信装置が備えるハンズフリー通話用装置を用いて、オフフック／オンフックの状態検知を行う。
【００２０】
この構成によると、状態検知部は、受話器の設置状態を検知する加圧センサ、充電装置の接続状態を判定する電源回路等からなる充電装置検知部、又はハンズフリー通話を行うためのハンズフリーキー等からなるハンズフリー通話用装置を用いて、オフフック／オンフックの状態検知を行う。
【発明の効果】
【００２１】
本発明の通信装置によれば、キーロック状態により誤動作を防止しつつ、ダイヤル発信等の発呼操作によって一時的にキーロック解除を行うことできる。このためユーザは、通話のたびにキーロック解除操作を行う必要がない。
【００２２】
また本発明によれば、キーロック解除後に所定時間が経過したり、オフフックが検知された場合に、再びキーロック状態に移行する。このため、ユーザはキーロックの再設定操作を行う必要がない。以上のことから、発呼時の利便性の向上を図ることができる。
【図面の簡単な説明】
【００２３】
【図１】本発明の通信装置が含まれる電話システムの構成を示すブロック図である。
【図２】本発明の第一の実施形態に係る通信装置の構成を示すブロック図である。
【図３】本発明の第一の実施形態に係るキーロック処理を示すフロー図である。
【図４】本発明の第二の実施形態に係るキーロック処理を示すフロー図である。
【発明を実施するための形態】
【００２４】
以下に本発明の一実施形態を、図面を参照しながら説明する。なお、ここで示す実施形態は一例であり、本発明はここに示す実施形態に限定されるものではない。
〈１−１．電話システムの構成について〉
図１は、本発明の第一の実施形態に係るＩＰ電話１００（＝通信装置）が含まれる電話システムの構成を示すブロック図である。本システムは少なくとも、ＩＰ電話１００、有線ＬＡＮ４１、ＰＳＴＮ網５１、加入者電話機５２、ＳＩＰサーバ６１、ＩＰ電話ルータ６２、ゲートウェイ６３、及びＩＰ電話網７１を含むように構成されている。
【００２５】
本実施形態のＩＰ電話１００は、有線ＬＡＮ４１に接続されることにより、電話網を介した音声通信が可能な通信装置である。有線ＬＡＮ４１は、ＩＰ電話１００、ＩＰ電話ルータ６２、及びゲートウェイ６３等が有線接続されたローカルのネットワークである。
【００２６】
前記の各装置は有線ＬＡＮ４１に接続されることにより、相互に通信が可能となっている。なお、有線ＬＡＮ４１を構成する物理的な手段としては、例えばツイストペアケーブルを用いた１０ＢＡＳＥ−Ｔ（ＩＥＥＥ８０２．３ｉとして標準化）や１００ＢＡＳＥ−ＴＸ（ＩＥＥＥ８０２．３ｕとして標準化）等があげられる。
【００２７】
ＳＩＰサーバ６１は、有線ＬＡＮ４１におけるＩＰ電話通信の制御を、ＳＩＰを用いて行う通信制御装置である。ＳＩＰは、転送機能や発信者番号通知機能などを備えた通話制御プロトコルの一種であり、同系統のプロトコルと比較して接続にかかる時間が短いという特徴を持つ。ＳＩＰサーバは、ＩＰ電話１００等のＳＩＰクライアントがアドレスを登録するレジスタサーバ、クライアントに代わってアドレスを検索するプロキシサーバ、クライアントから受け取った接続要求を別のアドレスに転送するリダイレクトサーバなどの機能を備えている。
【００２８】
ＩＰ電話ルータ６２は、複数のＩＰネットワークを相互接続するためのネットワーク中継装置である。具体的には、ＯＳＩ（Ｏｐｅｎ  Ｓｙｓｔｅｍｓ  Ｉｎｔｅｒｃｏｎｎｅｃｔｉｏｎ）参照モデルでいうネットワーク層（第３層）やトランスポート層（第４層）の一部のプロトコルを解析して転送を行う。本実施形態では、ＩＰ電話ルータ６２は有線ＬＡＮ４１とＩＰ電話網７１との二つのＩＰネットワークを相互に接続する役割を持つ。
【００２９】
ゲートウェイ６３は、プロトコル体系が異なるネットワーク間を相互接続するためのプロトコル変換器である。ゲートウェイ６３は例えば、有線ＬＡＮ４１とＰＳＴＮ網５１とを接続し、ＳＩＰ等のシグナリングプロトコルを用いてシグナル変換を行うことにより、両ネットワーク間での通信を可能とする。
【００３０】
ＩＰ電話網７１は、電話網の一部もしくは全てにＶｏＩＰ(Voice over Internet Protocol)技術を利用した通信網である。用いる通信回線としてはＦＴＴＨ(Fiber To The Home)やＡＤＳＬ(Asymmetric Digital Subscriber Line)等の、いわゆるブロードバンド回線が利用される。
【００３１】
なおＶｏＩＰとは、音声を各種符号化方式で圧縮してパケットに変換し、ＩＰネットワークでリアルタイム伝送する技術である。これによりＩＰ電話網７１は音声通話サービスの他、画像の送受信を行うテレビ電話サービス等も提供可能である。
〈１−２．ＩＰ電話の内部構成について〉
図２は、本発明の第一の実施形態に係るＩＰ電話１００の内部を示すブロック図である。ＩＰ電話１００は、本体部１０と、受話器２０とから構成されている。本体部１０は少なくとも、制御部１１、フラッシュメモリ１２、表示部１３、操作部１４、通信部１５、信号処理部１６、加圧センサ１７（＝センサ部）、及び時計回路１８（＝計時部）を含んでいる。受話器２０は、スピーカ２１、及びマイク２２を含んでいる。
【００３２】
なお、本体部１０と受話器２０との接続方式は、有線ケーブル（不図示）を用いて接続する形態でもよいし、相互に無線部（不図示）を備えることにより無線通信を用いて接続する形態でもよい。
【００３３】
制御部１１は、ＩＰ電話１００の各部を制御することにより通信制御処理（音声データの送受信、発信の実施、或いは着信の検知等）を統括制御するための中央処理装置である。また制御部１１は、制御部１１が備える演算処理装置上で所定のプログラムを実行することにより実現される機能部として、操作制御部１１ａ、時間監視部１１ｂ、及びキーロック制御部１１ｃを備えている。
【００３４】
操作制御部１１ａは、通常の待受状態において所定のキーロック設定操作を検知した場合に、キーロックを有効化する。キーロックが有効な状態においては、操作部１４によるキー操作を検知したとしても、検知結果を示す信号、つまり操作部１４から制御部１１へ送られる入力信号を破棄し、受け付けた操作に関連する処理を行わない。
【００３５】
また操作制御部１１ａは、キーロック状態において所定の解除操作を受け付けた場合に、キーロックを無効化する。これにより、通常の待受状態に復帰する。なお、キーロックの設定／解除操作は、例えば操作部１４に含まれる設定キーの長押し等により行う。
【００３６】
時間監視部１１ｂは、加圧センサ１７を用いて、受話器２０の設置状態を監視する。時間監視部１１ｂは、加圧センサ１７が所定値を超える圧力を検知した場合に、オンフック状態、つまり受話器２０が置かれた状態と判定する。
【００３７】
また、加圧センサ１７が所定値を超える圧力を検知していない場合に、オフフック状態、つまり受話器２０が持ち上げられた状態と判定する。また時間監視部１１ｂは、上記の状態変化を検知した際に、検知後の経過時間を時計回路１８により計測する。計測結果は、次のキーロック制御部１１ｃに与えられる。
【００３８】
キーロック制御部１１ｃは、受話器２０のオフフックが検知され、且つ所定の操作が検知された場合に、一時的にキーロックを解除した状態（以下、「一時解除状態」という）へ移行するよう、操作制御部１１ａに指示する。
【００３９】
一時解除状態において受話器２０のオンフックが検知されると、キーロック制御部１１ｃは、再びキーロック状態へ移行するよう、操作制御部１１ａに指示する。またキーロック制御部１１ｃは、オフフックとなってから所定時間が経過したことが時間監視部１１ｂにより検知された場合に、再びキーロック状態へ移行するよう、操作制御部１１ａに指示する。
【００４０】
フラッシュメモリ１２は、ＩＰ電話１００が保持する各種データを一時的に記録する媒体である。フラッシュメモリ１２は制御部１１によって各種通信制御処理が行われる際の処理データや、ユーザから受けた指示命令等を一時的に記録しておくためのバッファメモリとしての役割を持つ。
【００４１】
表示部１３は、ＩＰ電話１００が保持する各種情報、例えば着信時における発信側電話番号等をユーザに対して表示する。表示部１３は例えば、液晶パネル等の小型で消費電力の少ない表示装置を用いる。
【００４２】
操作部１４は、ユーザが本体部１０を用いてＩＰ電話１００の操作を行うためのものである。操作部１４は、通信を行うための各種操作、例えば通話を行う相手の電話番号の入力等を受け付ける。操作部１４は、数字キー、発呼キー、選択キー等を含むように構成されている。また、電話帳データを呼び出すための電話帳呼び出しキー等も含む。
【００４３】
通信部１５は、ＩＰ電話１００を電話回線に接続するための通信インタフェースである。通信部１５は、ネットワークに接続されたＳＩＰサーバ６１と通信を行うことにより、音声通話の着信処理や発信処理等を実施することが可能である。
【００４４】
信号処理部１６は、通信部１５により入力された音声データの復号処理を行う。復号により得られた音声信号はスピーカ２１に与えられる。また信号処理部１６は、マイク２２より入力された音声信号に所定の符号化処理を施して音声データ／ＦＡＸデータを作成し、通信部１５に与える。これにより音声データは、ＰＳＴＮ網５１を介して接続される外部の通信装置等に送信される。
【００４５】
加圧センサ１７は、受話器２０が本体部１０に装着されているか否かの検知を行うためのセンサである。加圧センサ１７は例えば、弾性部材や複数の電極を用いて、本体部１０にかかる圧力を検知する。なお検知結果は時間監視部１１ｂに送られる。
【００４６】
時計回路１８は、現在時刻や経過時間を計時するための回路であり、例えば所定の周波数による発振出力を行う水晶振動子を用いて計時を行う。また時計回路１８は、時刻情報だけではなく、現在の月日や曜日といった暦に関連する暦情報の管理を行うことも可能である。
【００４７】
受話器２０に含まれるスピーカ２１は、通話音声を出力する音声出力装置である。またマイク２２は、通話音声を入力する音声入力装置である。
〈１−３．キーロック処理について〉
ここで、本発明の第一の実施形態に係るＩＰ電話１００のキーロック処理を、図３のフロー図を用いながら説明する。
【００４８】
図３は、本発明の第一の実施形態に係るキーロック処理の処理フローを示したフロー図である。本処理は、ＩＰ電話１００の電源が起動されている状態において、任意のタイミングで開始可能である。
【００４９】
本処理の開始後、時間監視部１１ｂはステップＳ１１０において、受話器２０のフックアップを加圧センサ１７により検知したか否かを判定する。検知していない場合、再びステップＳ１１０に移行し、フックアップの監視を継続して行う。
【００５０】
時間監視部１１ｂがフックアップを検知した場合、キーロック制御部１１ｃはステップＳ１２０において、キーロック設定が有効になっているか否かを判定する。キーロック設定が無効である場合、ステップＳ１２５において、通常の操作受け付け処理を行う。操作受け付けが完了すると、再びステップＳ１１０へ移行する。
【００５１】
キーロック設定が有効である場合、時間監視部１１ｂはステップＳ１３０において、時計回路１８による時間計測を開始する。次にキーロック制御部１１ｃはステップＳ１４０において、キーロックを一時的に無効化し、所定のキーによるキー操作の受け付けのみを行うよう、操作制御部１１ａに指示する。なお本実施形態では、受け付けを行うキーとして、予め定められた発呼処理に関連するキーに限定するものとする。
【００５２】
次にキーロック制御部１１ｃはステップＳ１５０において、所定のキー操作を検知したか否かを判定する。なお所定のキー操作の一例としては、例えば電話番号を入力するためのテンキーの押下、電話帳を呼び出すための電話帳呼び出しキーの押下、履歴データを呼び出すための左右キーの押下、発呼指示を入力するための発呼キーの押下等を受け付けるよう、予め定めておく。
【００５３】
所定のキー操作を検知していない場合、時間監視部１１ｂはステップＳ１５１において、計測している経過時間が所定時間を超えたか否かを判定する。所定時間を超えていない場合、再びステップＳ１５０へ移行する。所定時間を超えた場合、キーロック制御部１１ｃはステップＳ１５２において、キー操作の受け付けを停止、つまりキーロックを有効化した後、待ち受け状態に遷移する。その後、再びステップＳ１１０へ移行する。
【００５４】
ステップＳ１５０において、所定のキーによるキー操作を検知した場合、キーロック制御部１１ｃはステップＳ１６０において、キーロックを一時的に無効化するよう、操作制御部１１ａに指示する。次に時間監視部１１ｂはステップＳ１７０において、経過時間の計測を停止する。
【００５５】
次に時間監視部１１ｂはステップＳ１８０において、受話器２０のオンフックを加圧センサ１７により検知したか否かを判定する。検知していない場合、ステップＳ１８５へ移行し、受け付けたキー入力に応じた通話処理を実施する。なお、キー入力により通話指示ではなくＦＡＸ送信指示が入力された場合は、ＦＡＸ送信処理を行う。処理が完了すると、再びステップＳ１８０へ移行する。
【００５６】
検知した場合、キーロック制御部１１ｃはステップＳ１９０において、キーロックを有効化するよう、操作制御部１１ａへ指示する。そしてステップＳ２００において、ＩＰ電話１００を待ち受け状態に遷移させる。その後、再びステップＳ１１０へ移行する。
【００５７】
なお以上の処理フローは、例えばＩＰ電話１００が電源停止指示を検知する等により、稼働停止状態に移行するまで継続して実施されるものとする。
【００５８】
以上に説明した本実施形態によれば、操作制御部１１ａが行うキーロックにより誤動作を防止しつつ、ダイヤル発信等の発呼操作によって、一時的にキーロック解除を行うことできる。このためユーザは、通話のたびに操作部１４によるキーロック解除操作を行う必要がない。
【００５９】
次に、本発明の第二の実施形態を、図面を参照しながら説明する。
〈２−１．電話システムの構成について〉
第一の実施形態と同様であるため、説明を省略する。
〈２−２．ＩＰ電話の内部構成について〉
装置構成は第一の実施形態の図２と同様であるが、時間監視部１１ｂ及びキーロック制御部１１ｃの機能が一部異なる。
【００６０】
本実施形態の時間監視部１１ｂは、キーロック状態において発呼操作が検知されることによりキーロックが無効化された後、経過時間の計測停止を行わない。代わりに、経過時間の計測を継続した状態で、発呼操作を検知してからの経過時間を計測する。
【００６１】
この計測時間が所定時間を超えると、キーロック制御部１１ｃは再びキーロックを有効化するよう、操作制御部１１ａに指示する。その後、ＩＰ電話１００は通常の待ち受け状態に遷移する。
〈２−３．キーロック処理について〉
ここで、本発明の第二の実施形態に係るＩＰ電話１００のキーロック処理を、図４の処理フローを用いながら説明する。なお、第一の実施形態と同内容の処理については、同一の番号を付加することにより説明を省略するものとする。
【００６２】
図４のステップＳ１１０〜ステップＳ１６０については、第一の実施形態の図３と同内容である。ステップＳ１６０においてキーロックが無効化された後、時間監視部１１ｂはステップＳ１７１において、発呼操作、つまりステップＳ１５０で検知した所定のキー操作から、所定時間が経過したか否かを判定する。
【００６３】
所定時間を超えた場合、経過時間の計測を停止した後、ステップＳ１５２へ移行する。所定時間を超えていない場合、ステップＳ１８０へ移行する。なお以降の処理については実施の形態１と同内容であるため、説明を省略する。
【００６４】
以上に説明した実施形態によれば、発呼操作を検知してキーロックが一時解除されてから、経過時間が所定時間を超えた場合に、再びキーロック状態に移行させる。このため、キーロック解除された状態が長時間に渡って継続されるのを回避することができる。
［その他の実施の形態］
以上、好ましい実施の形態及び実施例をあげて本発明を説明したが、本発明は必ずしも上記実施の形態に限定されるものではなく、その技術的思想の範囲内において様々に変形して実施することができる。
【００６５】
従って本発明は、以下の形態にも適用可能である。
【００６６】
（Ａ）上記実施形態では、時間監視部１１ｂがオンフック／オフフックの状態検知を行う方法として受話器２０のフックアップを例に説明を行ったが、これ以外の方法によりオンフック／オフフックの状態検知を行う形態でもよい。例えばＩＰ電話１００が、充電を行うクレードル（＝充電装置）に接続可能であり、且つその接続状態を監視する充電装置検知部を備える形態でもよい。この場合、クレードルから取り外された場合にオフフック、クレードルに設置された場合にオンフックと判定する。或いは、ＩＰ電話１００がハンズフリー通話用装置を備える形態でもよい。この場合、操作部１４に含まれるハンズフリーキー（不図示）が押下されたか否かにより、オンフック／オフフックの状態検知を行う。
【００６７】
（Ｂ）上記実施形態では、キーロック制御部１１ｃがキーロックを再び有効化する条件としてオフフックの検知（ステップＳ１８０）を例に説明を行ったが、これ以外の条件でキーロックを有効化する形態でもよい。例えば、通信回線が切断されることにより、通話状態が解除されたことを条件として、キーロックを有効化する形態でもよい。
【００６８】
（Ｃ）上記の実施形態では、本発明のキーロック機能を備えた通信装置としてＩＰ電話１００を例にあげているが、電話通信網に接続して音声通話可能な通信装置であれば、これ以外の装置において本発明を実施する形態でもよい。例えば、親子電話、インターネット電話、携帯電話、自動車電話、ＰＤＡやノートパソコン上で実行される通信アプリケーション等において実施する形態であってもよい。
【００６９】
（Ｄ）上記の実施形態では、本発明のキーロック機能に関わるＩＰ電話１００の各種機能部が、マイクロプロセッサ等の演算処理装置上で所定のプログラムを実行することにより実現されているが、各種機能部が複数の回路により実現される形態でもよい。
【符号の説明】
【００７０】
１００    ＩＰ電話（通信装置）
１１      制御部
１１ａ    操作制御部
１１ｂ    時間監視部
１１ｃ    キーロック制御部
１２      フラッシュメモリ
１３      表示部
１４      操作部
１５      通信部
１６      信号処理部
１７      加圧センサ（センサ部）
１８      時計回路（計時部）
２０      受話器
２１      スピーカ
２２      マイク
【図１】
2011061298.tif 000003
【図２】
2011061298.tif 000004
【図３】
2011061298.tif 000005
【図４】
2011061298.tif 000006